(57)【特許請求の範囲】
【請求項１】
ユーザ毎に設定された情報であるユーザ情報に応じて選択されたウェブ表示情報を、該ユーザの通信端末に表示させるウェブ表示情報選択サーバであって、
前記ユーザ情報を該ユーザの通信端末に表示するためのウェブページ文書から、前記ウェブ表示情報の選択に使用する所定のユーザ情報の記述個所を判別するための、判別情報を記憶する判別情報記憶部と、
読み出された前記所定のユーザ情報に応じてウェブ表示情報を選択するための選択ルールを記憶する選択ルール記憶部と、
前記通信端末に、前記判別情報を用いて、前記ウェブページ文書から前記所定のユーザ情報を読み出す読出処理と、読み出された該所定のユーザ情報と前記選択ルールとを用いて、表示するべき前記ウェブ表示情報の選択結果を示す選択情報を生成させる選択処理とを実行させるための、選択プログラムを生成する選択プログラム生成部と、
前記ユーザの通信端末に実行させるために、該選択プログラムを送信する送信部と、
を備えることを特徴とするウェブ表示情報選択サーバ。
【請求項２】
前記ウェブページ文書は、前記選択プログラムの送信を要求する要求信号を前記通信端末から送信させるための命令を含み、
該ウェブページ文書の表示処理を行った前記ユーザの通信端末から該要求信号を受信したときに、前記送信部を用いて該選択プログラムを送信する、
ことを特徴とする請求項１に記載のウェブ表示情報選択サーバ。
【請求項３】
前記ユーザの通信端末から前記選択情報を受信して、該選択情報に応じた前記ウェブ表示情報を該ユーザの通信端末に送信することを特徴とする請求項１又は２に記載のウェブ表示情報選択サーバ。
【請求項４】
ユーザ毎に設定された情報であるユーザ情報に応じて選択されたウェブ表示情報を、該ユーザの通信端末に表示させるウェブ表示情報選択システムであって、
前記ユーザ情報を該ユーザの通信端末に表示するためのウェブページ文書から、前記ウェブ表示情報の選択に使用する所定のユーザ情報の記述個所を判別するための、判別情報を記憶する判別情報記憶部と、
読み出された前記所定のユーザ情報に応じてウェブ表示情報を選択するための選択ルールを記憶する選択ルール記憶部と、
前記判別情報を用いて、前記ウェブページ文書から前記所定のユーザ情報を読み出す読出処理と、読み出された該所定のユーザ情報と前記選択ルールとを用いて、表示するべき前記ウェブ表示情報の選択結果を示す選択情報を生成させる選択処理とを実行する情報選択部と、
を備えることを特徴とするウェブ表示情報選択システム。
【請求項５】
ユーザ毎に設定された情報であるユーザ情報に応じて選択されたウェブ表示情報を、該ユーザの通信端末に表示させるウェブ表示情報選択プログラムであって、
前記ユーザ情報を該ユーザの通信端末に表示するためのウェブページ文書から、ウェブ表示情報の選択に使用する所定のユーザ情報の記述個所を判別するための、判別情報を用いて、該ウェブページ文書から該所定のユーザ情報を読み出す読出機能と、
読み出された前記所定のユーザ情報に応じてウェブ表示情報を選択するための選択ルールを用いて、表示するべき前記ウェブ表示情報の選択結果を示す選択情報を生成する選択機能と、
を前記通信端末のコンピュータに実現させるためのウェブ表示情報選択プログラム。
【発明の詳細な説明】
【技術分野】
【０００１】
本発明は、ウェブバナー等のウェブ表示情報を、閲覧者の属性情報に応じて選択表示させるための、ウェブ表示情報選択サーバ、ウェブ表示情報選択システム及びウェブ表示情報選択プログラムに関する。
【背景技術】
【０００２】
従来より、ウェブサイトを利用した販売促進手法の一つとして、レコメンデーション（推奨）と称される手法が知られている。レコメンデーションとは、ウェブサイト利用者の購入商品や嗜好等の分析結果に合わせて、特定の商品やサービスを選択して購入を勧める手法である。
【０００３】
レコメンデーションを実現するシステムとしては、例えば下記特許文献１で開示されたシステムが知られている。特許文献１のシステムにおいて、ユーザは、インターネットを介してウェブサーバにアクセスし、商品を購入する。購入履歴データベースは、商品購入の履歴を、ユーザ別に記憶する。レコメンドサーバは、各ユーザの購入履歴を購入履歴データベースから入手してユーザ毎の嗜好を分析すること等により、推奨商品を決定する。そして、この推奨商品は、インターネットを介してレコメンドサーバからユーザ端末に送信され、ウェブページに表示される。
【先行技術文献】
【特許文献】
【０００４】
【特許文献１】特開２００８−２８２０９８号公報
【発明の概要】
【発明が解決しようとする課題】
【０００５】
従来のこの種のシステムには、構築時のコストや運営コストが非常に高いという欠点がある。特に、レコメンデーションには会員の個人情報が使用されるので、情報漏洩防止等のセキュリティ対策に関するコストが非常に高額になる。従って、小規模のウェブサイト運営業者等にとっては、上述のようなシステムを導入してレコメンデーションによる販売促進を行うことは、容易ではなかった。
【０００６】
このような課題は、レコメンデーションを用いた販売促進に限らず、ウェブ閲覧者の属性情報を用いてウェブ表示情報を適宜選択するシステムでは、常に生じ得る。
本発明の課題は、ウェブ閲覧者の属性情報を用いてウェブ表示情報を選択するシステムを安価且つ安全に提供する点にある。
【課題を解決するための手段】
【０００７】
請求項１の発明に係るウェブ表示情報選択サーバは、ユーザ毎に設定された情報であるユーザ情報に応じて選択されたウェブ表示情報を、該ユーザの通信端末に表示させるウェブ表示情報選択サーバであって、前記ユーザ情報を該ユーザの通信端末に表示するためのウェブページ文書から、前記ウェブ表示情報の選択に使用する所定のユーザ情報の記述個所を判別するための、判別情報を記憶する判別情報記憶部と、読み出された前記所定のユーザ情報に応じてウェブ表示情報を選択するための選択ルールを記憶する選択ルール記憶部と、前記通信端末に、前記判別情報を用いて、前記ウェブページ文書から前記所定のユーザ情報を読み出す読出処理と、読み出された該所定のユーザ情報と前記選択ルールとを用いて、表示するべき前記ウェブ表示情報の選択結果を示す選択情報を生成させる選択処理とを実行させるための、選択プログラムを生成する選択プログラム生成部と、前記ユーザの通信端末に実行させるために、該選択プログラムを送信する送信部とを備える。
【０００８】
請求項２の発明に係るウェブ表示情報選択サーバは、請求項１に記載の構成に加え、前記ウェブページ文書が、前記選択プログラムの送信を要求する要求信号を前記通信端末から送信させるための命令を含み、該ウェブページ文書の表示処理を行った前記ユーザの通信端末から該要求信号を受信したときに、前記送信部を用いて該選択プログラムを送信する。
【０００９】
請求項３の発明に係るウェブ表示情報選択サーバは、請求項１又は２に記載の構成に加え、前前記ユーザの通信端末から前記選択情報を受信して、該選択情報に応じた前記ウェブ表示情報を該ユーザの通信端末に送信する。
【００１０】
請求項４の発明に係るウェブ表示情報選択システムは、ユーザ毎に設定された情報であるユーザ情報に応じて選択されたウェブ表示情報を、該ユーザの通信端末に表示させるウェブ表示情報選択システムであって、前記ユーザ情報を該ユーザの通信端末に表示するためのウェブページ文書から、前記ウェブ表示情報の選択に使用する所定のユーザ情報の記述個所を判別するための、判別情報を記憶する判別情報記憶部と、読み出された前記所定のユーザ情報に応じてウェブ表示情報を選択するための選択ルールを記憶する選択ルール記憶部と、前記判別情報を用いて、前記ウェブページ文書から前記所定のユーザ情報を読み出す読出処理と、読み出された該所定のユーザ情報と前記選択ルールとを用いて、表示するべき前記ウェブ表示情報の選択結果を示す選択情報を生成させる選択処理とを実行する情報選択部とを備える。
【００１１】
請求項５の発明に係るウェブ表示情報選択プログラムは、ユーザ毎に設定された情報であるユーザ情報に応じて選択されたウェブ表示情報を、該ユーザの通信端末に表示させるウェブ表示情報選択プログラムであって、前記ユーザ情報を該ユーザの通信端末に表示するためのウェブページ文書から、ウェブ表示情報の選択に使用する所定のユーザ情報の記述個所を判別するための、判別情報を用いて、該ウェブページ文書から該所定のユーザ情報を読み出す読出機能と、読み出された前記所定のユーザ情報に応じてウェブ表示情報を選択するための選択ルールを用いて、表示するべき前記ウェブ表示情報の選択結果を示す選択情報を生成する選択機能とを前記通信端末のコンピュータに実現させる。
【発明の効果】
【００１２】
請求項１の発明では、ウェブ表示情報の選択に使用するユーザ情報をウェブページ文書から読み出すこととしたので、システムの構築・運営コストを低減できると共に、セキュリティ対策も容易となる。加えて、ユーザ情報に応じたウェブ表示情報の選択を、通信端末に行わせるので、この点でも、システムの構築・運営コストを低減でき、更には、セキュリティ対策も容易となる。
【００１３】
請求項２の発明によれば、通信端末がウェブページ文書を表示するときに、選択プログラムをウェブ表示情報選択サーバに要求するので、かかる選択プログラムを通信端末に予め保存しておく必要がない。
【００１４】
請求項３の発明によれば、通信端末の選択結果に応じたウェブ表示情報がウェブ表示情報選択サーバから送信されるので、通信端末は、選択され得るすべてのウェブ表示情報を選択プログラムに保存しておく必要がない。
【００１５】
請求項４の発明によれば、ウェブ表示情報の選択に使用するユーザ情報をウェブページ文書から読み出すこととしたので、システムの構築・運営コストを低減できると共に、セキュリティ対策も容易となる。
【００１６】
請求項５の発明によれば、ウェブ表示情報の選択に使用するユーザ情報をウェブページ文書から読み出すこととしたので、システムの構築・運営コストを低減できると共に、セキュリティ対策も容易となる。加えて、ユーザ情報に応じたウェブ表示情報の選択を、通信端末に行わせるので、この点でも、システムの構築・運営コストを低減でき、更には、セキュリティ対策も容易となる。
【図面の簡単な説明】
【００１７】
【図１】実施の形態１に係るウェブ表示情報選択システムの全体構成を概念的に示すブロック図である。
【図２】実施の形態１に係るウェブ表示情報選択サーバの内部構成を概念的に示すブロック図である。
【図３】（ａ）、（ｂ）共に、実施の形態１に係る会員情報ウェブページの画面構成例を示す概念図である。
【図４】実施の形態１に係るウェブ表示情報選択システムの全体動作を説明するための概念図である。
【発明を実施するための形態】
【００１８】
［発明の実施の形態１］
【００１９】
以下、本発明の実施の形態１について、図１〜図４を用いて説明する。なお、この実施の形態１では、ウェブサイトを閲覧するユーザが、ウェブサーバ運営業者によって提供されるサービスの会員である場合を例に採って説明するが、本発明は、このような場合に限定されない。
【００２０】
図１は、実施の形態１に係るウェブ表示情報選択システム１００の全体構成を概念的に示すブロック図である。また、図２は、ウェブ表示情報選択サーバ１２０の内部構成を概念的に示すブロック図である。図３（ａ）、（ｂ）は、会員情報ウェブページの画面構成の例を示す概念図である。
【００２１】
図１に示したように、インターネット１１０には、１台のウェブ表示情報選択サーバ１２０と、複数のウェブサーバ１３０と、複数の通信端末１４０とが通信接続される。また、各ウェブサーバ１３０には、それぞれ、対応する個人情報データベース１３１が接続されている。
【００２２】
ウェブ表示情報選択サーバ１２０は、選択プログラムを生成する。選択プログラムは、会員情報ウェブページ３００に表示される会員情報を用いて通信端末１４０に表示させるウェブ表示情報（この実施の形態１では、ウェブバナー３０２を表示する情報とする）を選択するためのプログラムであり、通信端末１４０によって実行される。更に、ウェブ表示情報選択サーバ１２０は、通信端末１４０が選択したウェブ表示情報を、かかる通信端末１４０に送信する。
【００２３】
ここで、会員情報ウェブページ３００とは、会員の個人情報を表示するウェブページである。通常、会員情報ウェブページには、例えば会員特定情報（氏名、住所、生年月日、引き落とし口座等）や、その会員のサービス利用状況等が表示される。例えば、クレジットカード会社の会員情報ウェブページの場合、その会員のサービス利用状況として、次回支払い日の請求額合計３０１や、かかる請求額合計の内訳等が表示される（図３（ａ）参照）。また、インターネットショッピング会社の場合、商品購入時に表示されるウェブページ（すなわち、配達先の氏名や住所、購入商品名、購入金額等を表示するウェブページ）も、会員情報ウェブページに含まれる。更には、ポイントカード運営会社の場合は、蓄積ポイント数や、最後にポイントが獲得されてからの経過期間等の情報を表示するウェブページも、会員情報ウェブページに含まれる。
【００２４】
ウェブページ文書とは、通信端末１４０の画面に会員情報ウェブページ３００（図３（ａ）、（ｂ）参照）を表示させるためのプログラムであり、構造定義文書、コンテンツデータ、デザイン定義文書を含む。構造定義文書とは、ウェブページ文書のうち、ＨＴＭＬ(HyperText Markup Language)等のマークアップ言語で記述された部分であり、ウェブページの構造等を決定する。コンテンツデータとは、ウェブページに実際に表示される、テキストや画像等を示すデータである。デザイン定義文書とは、ＣＳＳ(Cascading
Style Sheets)等で記述された部分、すなわち表示の体裁を決定する記述部分である。
【００２５】
図２に示したように、ウェブ表示情報選択サーバ１２０は、受信部２０１と、選択プログラム生成部２０２と、判別情報記憶部２０３と、選択ルール記憶部２０４と、ウェブ表示情報選択部２０５と、ウェブ表示情報記憶部２０６と、送信部２０７とを備えている。
受信部２０１は、インターネット１１０を介して、通信端末１４０から、選択プログラムを要求する信号と、ウェブ表示情報を要求する信号とを受信する。
【００２６】
選択プログラム生成部２０２は、判別情報と選択ルールとを用いて、選択プログラムを生成する。この選択プログラムは、まず、プログラム内に記述された判別情報を用いて、当該ウェブページ文書から所定の会員情報を読み出す。続いて、選択プログラムは、読み出された会員情報と、プログラム内に記述された選択ルールとを用いて、ウェブ表示情報を選択する。
【００２７】
判別情報記憶部２０３には、会員情報ウェブページ３００毎の判別情報が格納されている。判別情報とは、ウェブページ文書から読み出される会員情報を判別するための情報である。読み出される会員情報の種類や数は、任意である。例えば、上述のクレジットカード会社の例において、次回支払い日の請求額合計（図３（ａ）参照）が２０万円以上の場合にリボルビング払いを推奨するウェブバナー３０２（図３（ｂ）参照）を表示したい場合であれば、この請求額合計３０１をウェブページ文書から読み出せば良い。ここで、請求額合計３０１を意味する数値は、コンテンツデータとしてウェブページ文書に記述されている。また、この請求額合計３０１が記述される位置は、上述の構造定義文書を解析することによって判別することができる。従って、判別情報として、ウェブページ文書上で当該会員情報が記述された座標や文書構造上の位置等を特定する情報を採用することにより、請求額合計３０１をウェブページ文書から読み出すことができる。
【００２８】
選択ルール記憶部２０４は、会員情報からウェブ表示情報を選択するための選択ルールを、一種類又は複数種類記憶する。例えば、上記の例の場合であれば、「‘請求額合計が２０万円以上’との条件を満たす場合は、‘リボルビング払い’の推奨表示を選択する」旨の選択ルールが記憶される。選択ルールは、一種類の会員情報を用いたルールであっても良いし、複数種類の個人情報を用いたものであっても良い。
【００２９】
判別情報及び選択ルールを設定して判別情報記憶部２０３及び選択ルール記憶部２０４に格納する方法は任意である。例えば、ウェブサイトの運営者が、インターネット１１０を介してウェブ表示情報選択サーバ１２０にアクセスし、設定画面を用いて設定・格納することとしても良い。また、ウェブサイトの運営者からの要請に応じて、ウェブ表示情報選択サーバ１２０の運営者が設定・格納することとしても良い。
【００３０】
なお、適合する選択ルールが無い場合の、選択プログラムの処理は、任意である。例えば、ウェブ表示情報による表示を行わないこととしても良いし、適合する選択ルールが無い場合に選択されるウェブ表示情報を予め決めておいても良いし、任意のウェブ表示情報をランダムに選択することとしても良い。
【００３１】
ウェブ表示情報選択部２０５は、通信端末１４０からの要求に応じて、選択プログラムが選択したウェブ表示情報を、ウェブ表示情報記憶部２０６から読み出して、送信部２０７に送る。
ウェブ表示情報記憶部２０６は、ウェブ表示情報、例えば通信端末１４０にウェブバナー３０２を表示させるための情報（画像情報等）が格納される。
【００３２】
送信部２０７は、選択プログラム生成部２０４から受け取った選択プログラムや、ウェブ表示情報選択部２０５が選択したウェブ表示情報を、通信端末１４０に送信する。
【００３３】
図１において、ウェブサーバ１３０は、通信端末１４０が会員情報ウェブページにアクセスしたときに、この会員情報ウェブページに対応するウェブページ文書を作成する。このウェブページ文書作成には、対応する会員情報データベース１３１から読み出した会員情報が使用される。また、会員情報ウェブページ文書には、選択プログラムの送信をウェブ表示情報選択サーバ１２０へ要求させるためのプログラムコードが、例えばタグとして記述されている。ウェブサーバ１３０は、このウェブページ文書を、インターネット１１０を介して通信端末１４０に送信する。
【００３４】
通信端末１４０は、特に限定されず、インターネット１１０への接続が可能な通信端末であって、この実施の形態１に係るウェブページ文書を表示できるものであれば良い。例えば、パーソナルコンピュータ、携帯電話機、スマートフォン等を、通信端末１４０として採用することができる。
図４は、この実施の形態に係るウェブ表示情報選択システム１００の全体動作を説明するための概念図である。
【００３５】
まず、会員が通信端末１４０を操作することにより、いずれかのウェブサーバ１３０にアクセスして、会員情報ウェブページの閲覧を要求する（図４の（１）参照）。このとき、通信端末１４０からウェブサーバ１３０へは当該会員のＩＤ等が送信される。
【００３６】
ウェブサーバ１３０は、受信したＩＤ等を用いて、当該会員を特定する。そして、この会員に対応する会員情報を、会員情報データベース１３１から読み出す（図４の（２）参照）。上記図３（ａ）の例では、読み出される会員情報は、「カード名」、「カード番号」、「支払い金融機関」、「指定口座」、「ショッピング請求額」、「キャッシング請求額」、「その他請求額」及び「請求額合計」である。
続いて、ウェブサーバ１３０が、上述のようなウェブページ文書を作成する（図４の（３）参照）。
そして、ウェブサーバ１３０は、作成したウェブページ文書を、通信端末１４０に送信する（図４の（４）参照）。
【００３７】
通信端末１４０は、ウェブサーバ１３０からウェブページ文書を受信すると、このウェブページ文書に基づいてウェブページを表示する（図４の（５）参照）。この表示処理を実行する際に、通信端末１４０は、ウェブページ文書のプログラムコードを実行することにより、ウェブ表示情報選択サーバ１２０に対して、選択プログラムの送信を要求する（図４の（６）参照）。
ウェブ表示情報選択サーバ１２０の受信部２０１（図２参照）は、この要求を受信すると、選択プログラム生成部２０２に転送する。
【００３８】
選択プログラム生成部２０２は、この要求を受信すると、選択プログラムを生成する（図４の（７）参照）。選択プログラムの生成は、例えば予め準備されたプログラムに対し、その会員情報ウェブページに対応する判別情報及び選択ルールを書き込むことによって、行うことができる。
その後、この選択プログラムを、ウェブ表示情報選択サーバ１２０の送信部２０７が、通信端末１４０に送信する（図４の（８）参照）。
【００３９】
通信端末１４０は、選択プログラムを受信すると、この選択プログラムを実行することにより、ウェブ表示情報を選択する。そして、選択されたウェブ表示情報の送信を、ウェブ表示情報選択サーバ１２０に要求する（図４の（９）参照）。
ウェブ表示情報選択サーバ１２０の受信部２０１は、この要求を受信すると、ウェブ表示情報選択部２０５に転送する。
【００４０】
ウェブ表示情報選択部２０５は、この要求に対応するウェブ表示情報を、ウェブ表示情報記憶部２０６から読み出して、送信部２０７に送る（図４の（１０）参照）。
送信部２０７は、このウェブ表示情報を、通信端末１４０に送信する（図４の（１１）参照）。
そして、通信端末１４０が、このウェブ表示情報に基づくウェブバナー３０２を、ウェブページに表示する（図３（ｂ）参照）。
【００４１】
このとき、会員は、クローズボックス（ウェブバナーの右上部分に表示された‘×’印）をクリックすることで、このウェブバナーを閉じることができ（図３（ａ）参照）、一方、リンクボックス（「詳しくはこちら」とのテキストが表示された部分）をクリックすることで、リボルビング払いを紹介するウェブページに移動することができる。
【００４２】
以上説明したように、この実施の形態１に係るウェブ表示情報選択システム１００では、ウェブ表示情報を選択するための会員情報を、ウェブページ文書から抽出することとした。従って、レコメンドサーバが購入履歴データベースにアクセスして所定情報を取得するような場合（上記特許文献１参照）と比較して、システムの構築・運営コストが非常に安価である。
また、ウェブ表示情報選択サーバ１２０が会員情報データベース１３１にアクセスする必要がないことにより、高価なセキュリティ対策を行う必要がない。
【００４３】
更に、この実施の形態１によれば、ウェブページ文書から会員情報を抽出してウェブ表示情報を選択することとしたので、１台のウェブ表示情報選択サーバ１２０を、複数台のウェブサーバ１３０に対応させることが、非常に容易である。従って、この実施の形態１によれば、ウェブサーバ１台当たりのシステム構築・運営コストを非常に低く抑えることができる。
［他の実施の形態］
【００４４】
上記実施の形態１では、ウェブ表示情報選択サーバ１２０とウェブサーバ１３０と別個に設けて通信接続することとしたが、ウェブサーバのシステム内にウェブ表示情報選択サーバの機能（選択プログラム生成部２０２、判別情報記憶部２０３、選択ルール記憶部２０４、ウェブ表示情報選択部２０５及びウェブ表示情報記憶部２０６としての機能等、図２参照）を付加することによって、両サーバ１２０，１３０を一体化しても良い。このようなシステムも、会員情報ウェブページのウェブページ文書を用いてウェブ表示情報の選択を行うことにより、システム新規構築コスト等の低減が可能である。
【００４５】
また、上記実施の形態１に係るウェブ表示情報選択サーバ１２０の機能の一部を、ウェブサーバに行わせても良い。例えば、判別情報記憶部２０３や選択ルール記憶部２０４の機能をウェブサーバ内に設けて、選択プログラムを生成する際にウェブ表示情報選択サーバ１２０が読み出すこととしても良い。このようなシステムも、会員情報ウェブページのウェブケージ文書を用いてウェブ表示情報の選択を行うことにより、システム新規構築コスト等の低減が可能である。
【００４６】
上記実施の形態１では、ウェブ表示情報をウェブページに表示する態様としてウェブバナーを採用したが、通常のテキストや画像等を用いて会員情報ウェブページの一部を書き換えるように選択プログラムを構成しても良い。
【００４７】
上記実施の形態１では、選択されたウェブ表示情報を、対応する会員情報ウェブページにそのまま表示することとしたが、例えば他のウェブページに表示できるようにしてもよい。
【符号の説明】
【００４８】
１００  ウェブ表示情報選択システム
１１０  インターネット
１２０  ウェブ表示情報選択サーバ
１３０  ウェブサーバ
１３１  会員情報データベース
１４０  通信端末
２０１  受信部
２０２  選択プログラム生成部
２０３  判別情報記憶部
２０４  選択ルール記憶部
２０５  ウェブ表示情報選択部
２０６  ウェブ表示情報記憶部
２０７  送信部
３００  会員情報ウェブページ
３０１  請求額合計
３０２  ウェブバナー
【要約】
【課題】ウェブ閲覧者の属性情報を用いてウェブ表示情報を選択するシステムを安価且つ安全に提供する。
【解決手段】通信端末１４０が、ウェブサーバ１３０の会員情報ウェブページにアクセスすると、ウェブサーバ１３０は、会員情報データベース１３１から会員情報を読み出して、該会員情報ウェブページのウェブページ文書を作成する。このウェブページ文書には、通信端末１４０からウェブ表示情報選択サーバ１２０へ選択プログラムの送信を要求するためのタグが含まれている。通信端末１４０は、受信したプログラムを実行することにより、ウェブページ文書から所定のユーザ情報を判別して読み出し、読み出されたユーザ情報に応じてウェブ表示情報を選択する。そして、通信端末１４０は、選択されたウェブ表示情報をウェブ表示情報選択サーバ１２０から取得して、画面表示する。
【選択図】図１【図１】
0005415639.tif 000002
【図２】
0005415639.tif 000003
【図３】
0005415639.tif 000004
【図４】
0005415639.tif 000005